(57)【要約】【課題】  ユーザによる手動操作を一切必要とすることがなく、しかも高いセキュリティレベルを維持することが可能な入退室管理システムを提供すること。【解決手段】  入退室を管理するのに際して、携帯機１０のＩＤコードと、屋外人検出センサ６及び屋内人検出センサ７による人検出の順序とに基づいて、入退室管理装置３により携帯機１０の所有者による入退室が特定される。ここで、ユーザは、対応する携帯機１０を所持しているだけでハンズフリーにて入退室が許可される。このため、ユーザに対して煩雑感や圧迫感を与える余地はなく簡便である。しかも、従来のメカニカルキーと比較して複製が格段に困難な携帯機１０を所持していなければ入退室が許可されない。このため、第三者により入退室される可能性は極めて低いものとなる。従って、ユーザによる手動操作を一切必要とすることがなく、しかも高いセキュリティレベルを維持することができる。【選択図】      図１
2005207034.tif 000002
【特許請求の範囲】
【請求項１】
該携帯機毎に個別に設定されたＩＤコードを記憶する携帯機と、対応する携帯機のＩＤコードと同一のＩＤコードを記憶する作動制御装置とを備え、
前記作動制御装置は、前記携帯機との双方向通信を確立させるためにリクエスト信号を送信する一方、前記携帯機は、前記作動制御装置からのリクエスト信号に応答して該携帯機のＩＤコードを含む信号を送信し、
前記作動制御装置は、前記携帯機との双方向通信により両ＩＤコードが一致したことを条件として、制御対象となる開閉体の作動を許可する制御手段を有している電子キーシステムを用いた入退室管理システムであって、
前記開閉体の一側の所定領域内に人が存在している旨を検出する第１人検出手段と、
前記開閉体の他側の所定領域内に人が存在している旨を検出する第２人検出手段と、
前記携帯機のＩＤコードと、前記第１人検出手段及び前記第２人検出手段による人検出の順序とに基づいて、携帯機の所有者による入退室を特定する特定手段とを設けたことを特徴とする入退室管理システム。
【請求項２】
請求項１に記載の入退室管理システムにおいて、
前記特定手段は、前記制御手段により制御対象の作動が許可されていないにも拘わらず、前記第１人検出手段及び前記第２人検出手段による人検出の順序に基づいて、入退室を特定した場合には、該入退室が携帯機の所有者以外の第三者によるものである旨を特定することを特徴とする入退室管理システム。
【請求項３】
該携帯機毎に個別に設定されたＩＤコードを記憶する携帯機と、対応する携帯機のＩＤコードと同一のＩＤコードを記憶する作動制御装置とを備え、
前記作動制御装置は、前記携帯機との双方向通信を確立させるために所定の第１領域内にリクエスト信号を送信するとともに、前記携帯機との双方向通信を確立させるために前記第１領域とは互いに干渉しない第２領域内にリクエスト信号を送信する一方、前記携帯機は、前記第１領域内又は前記第２領域内で前記作動制御装置からのリクエスト信号に応答して該携帯機のＩＤコードを含む信号を送信し、
前記作動制御装置は、少なくとも前記第１領域内での前記携帯機との双方向通信により両ＩＤコードが一致したことを条件として、制御対象となる開閉体の作動を許可する制御手段を有している電子キーシステムを用いた入退室管理システムであって、
前記携帯機のＩＤコードと、前記第１領域内及び前記第２領域内で両ＩＤコードが一致した順序とに基づいて、携帯機の所有者による入退室を特定する特定手段を設けたことを特徴とする入退室管理システム。
【請求項４】
該携帯機毎に個別に設定されたＩＤコードを記憶する携帯機と、対応する携帯機のＩＤコードと同一のＩＤコードを記憶する作動制御装置とを備え、
前記作動制御装置は、前記携帯機との双方向通信を確立させるために所定の第１領域内にリクエスト信号を送信するとともに、前記携帯機との双方向通信を確立させるために前記第１領域とは互いに干渉する第２領域内にリクエスト信号を送信する一方、前記携帯機は、前記第１領域内又は前記第２領域内で前記作動制御装置からのリクエスト信号に応答して該携帯機のＩＤコードを含む信号を送信し、
前記作動制御装置は、前記第１領域内又は前記第２領域内での前記携帯機との双方向通信により両ＩＤコードが一致したことを条件として、前記第１領域及び前記第２領域の一方から他方への人の通過を許容すべく、制御対象となる開閉体の作動を許可する制御手段を有している電子キーシステムを用いた入退室管理システムであって、
前記第１領域と前記第２領域との干渉領域を人が通過した旨を検出する人検出手段と、
前記携帯機のＩＤコードと、前記第１領域内及び前記第２領域内での両ＩＤコードの一致段階並びに前記人検出手段による人通過の検出段階の順序とに基づいて、携帯機の所有者による入退室を特定する特定手段とを設けたことを特徴とする入退室管理システム。
【請求項５】
請求項４に記載の入退室管理システムにおいて、
前記特定手段は、前記制御手段により制御対象の作動が許可されていないにも拘わらず、前記人検出手段により前記第１領域と前記第２領域との干渉領域を人が通過した旨が検出された場合には、該人の通過が携帯機の所有者以外の第三者によるものである旨を特定することを特徴とする入退室管理システム。
【発明の詳細な説明】
【技術分野】
【０００１】
本発明は、入退室管理システムに関する。
【背景技術】
【０００２】
近年、種々の入退室管理システムが提案されている（例えば、特許文献１、特許文献２、特許文献３を参照。）。
特許文献１で開示されている入退室管理システムは、ＩＤカードが入口側のカードリーダに通されると、該ＩＤカードに記憶されているＩＤ番号とコントローラに記憶されているＩＤ番号との照合が行われ、両ＩＤ番号が一致したことを条件として、入室を許可すべく電気錠が解錠されるように構成されている。一方、ＩＤカードが出口側のカードリーダに通されると、入室時と同様にＩＤ番号の照合が行われ、両ＩＤ番号が一致したことを条件として、退室を許可すべく電気錠が解錠されるように構成されている。従って、このような構成によれば、コントローラに記憶されているＩＤ番号と一致するＩＤ番号を有するＩＤカードを所持していなければ入退室が許可されないことから、セキュリティレベルを向上させることができる。
【０００３】
一方、特許文献２で開示されているセキュリティシステムは、テンキーによるＩＤ番号の入力、個人識別機による生体的特徴の照合（指紋照合や網膜照合）、重量センサによる体重の照合に基づいて、入退室が許可されるように構成されている。従って、このような構成によれば、特許文献１の構成と同様に、セキュリティレベルを向上させることができる。
【０００４】
他方、特許文献３で開示されている入退室管理システムは、カードがリーダライタ（Ｒ／Ｗ）に通されて該カードの情報が接触状態で授受されることによる照合、カードがＲ／Ｗに翳されて該カードの情報が非接触状態で授受されることによる照合に基づいて、入退室が許可されるように構成されている。従って、このような構成によれば、特許文献１の構成や特許文献２の構成と同様に、セキュリティレベルを向上させることができる。
【特許文献１】特開平０４−２５９７９４号公報（段落番号００１３〜００１６）
【特許文献２】特開２０００−３１５２７１号公報（段落番号００２９〜００３１）
【特許文献３】特開２００１−３２３６９５号公報（段落番号００２３、００２４）
【発明の開示】
【発明が解決しようとする課題】
【０００５】
しかしながら、これらの構成では、各種照合が行われるのに先立って、ユーザによる何らかの手動操作が不可欠であることから、ユーザに対して負担を強いらせる結果となっていた。つまり、ユーザにしてみれば、セキュリティレベルが向上される利点がある反面、煩雑感や圧迫感を被る欠点があった。
【０００６】
本発明は、このような問題点に着目してなされたものであって、その目的は、ユーザによる手動操作を一切必要とすることがなく、しかも高いセキュリティレベルを維持することが可能な入退室管理システムを提供することにある。
【課題を解決するための手段】
【０００７】
上記の目的を達成するために、請求項１に記載の発明では、該携帯機毎に個別に設定されたＩＤコードを記憶する携帯機と、対応する携帯機のＩＤコードと同一のＩＤコードを記憶する作動制御装置とを備え、前記作動制御装置は、前記携帯機との双方向通信を確立させるためにリクエスト信号を送信する一方、前記携帯機は、前記作動制御装置からのリクエスト信号に応答して該携帯機のＩＤコードを含む信号を送信し、前記作動制御装置は、前記携帯機との双方向通信により両ＩＤコードが一致したことを条件として、制御対象となる開閉体の作動を許可する制御手段を有している電子キーシステムを用いた入退室管理システムであって、前記開閉体の一側の所定領域内に人が存在している旨を検出する第１人検出手段と、前記開閉体の他側の所定領域内に人が存在している旨を検出する第２人検出手段と、前記携帯機のＩＤコードと、前記第１人検出手段及び前記第２人検出手段による人検出の順序とに基づいて、携帯機の所有者による入退室を特定する特定手段とを設けたことを特徴とする。
【０００８】
従って、請求項１に記載の発明によれば、対応する携帯機を所持しているユーザ（携帯機の所有者）が、一方向から開閉体に近付いてきてリクエスト信号の送信領域内に進入してくると、携帯機と作動制御装置との双方向通信が可能となる。そして、このようにユーザにより対応する携帯機が所持されている場合には、両ＩＤコードが一致することから、制御対象となる開閉体の作動が許可される。その結果、開閉体が自動又は手動で開けられて、ユーザによる入室が可能となる。
【０００９】
ここで、上記のように両ＩＤコードが一致したことを条件として制御対象の作動が許可されることから、該制御対象の作動が許可された段階において、特定手段により携帯機の所有者（ユーザ）を特定することが可能となる（第１の要素）。一方、上記のようにユーザが入室してくるのに伴って、その入室前において、第１人検出手段により開閉体の一側の所定領域内に人が存在している旨が検出される（第２の要素）。他方、入室後において、第２人検出手段により開閉体の他側の所定領域内に人が存在している旨が検出される（第３の要素）。従って、これら３つの要素に基づいて、つまり携帯機のＩＤコードと、第１人検出手段及び第２人検出手段による人検出の順序とに基づいて、特定手段により携帯機の所有者（ユーザ）が入室した旨が特定される。
【００１０】
一方、対応する携帯機を所持しているユーザが、上記した入室時とは逆の方向から開閉体に近付いてきてリクエスト信号の送信領域内に進入してくると、入室時と同様に制御対象となる開閉体の作動が許可される。その結果、開閉体が自動又は手動で開けられて、ユーザによる退室が可能となる。
【００１１】
ここで、上記のように両ＩＤコードが一致したことを条件として制御対象の作動が許可されることから、該制御対象の作動が許可された段階において、特定手段により携帯機の所有者（ユーザ）を特定することが可能となる（第４の要素）。一方、上記のようにユーザが退室してゆくのに伴って、その退室前において、第２人検出手段により開閉体の他側の所定領域内に人が存在している旨が検出される（第５の要素）。他方、退室後において、第１人検出手段により開閉体の一側の所定領域内に人が存在している旨が検出される（第６の要素）。従って、これら３つの要素に基づいて、つまり携帯機のＩＤコードと、第１人検出手段及び第２人検出手段による人検出の順序とに基づいて、特定手段により携帯機の所有者（ユーザ）が退室した旨が特定される。
【００１２】
そして、これらのようにユーザは、対応する携帯機を所持しているだけでハンズフリーにて入退室が許可される。このため、ユーザに対して煩雑感や圧迫感を与える余地はなく簡便である。しかも、従来のメカニカルキーと比較して複製が格段に困難な携帯機を所持していなければ入退室が許可されない。このため、第三者により入退室される可能性は極めて低いものとなる。
【００１３】
請求項２に記載の発明では、請求項１に記載の入退室管理システムにおいて、前記特定手段は、前記制御手段により制御対象の作動が許可されていないにも拘わらず、前記第１人検出手段及び前記第２人検出手段による人検出の順序に基づいて、入退室を特定した場合には、該入退室が携帯機の所有者以外の第三者によるものである旨を特定することを特徴とする。
【００１４】
この種の入退室管理システムでは、携帯機のＩＤコードと作動制御装置のＩＤコードとが一致したことを条件として、制御対象となる開閉体の作動が許可される。つまり、本来、対応する携帯機を所持していなければ入退室が許可されない。換言すれば、制御手段により制御対象の作動が許可されていないにも拘わらず、第１人検出手段及び第２人検出手段による人検出の順序に基づいて、特定手段により入退室が特定された場合には、該入退室が携帯機の所有者以外の第三者によるものである可能性が高い。そして、請求項２に記載の発明に係る入退室管理システムによれば、かかる場合を想定した構成を採用することにより、該第三者による入退室を早期段階で検出することが可能となる。
【００１５】
請求項３に記載の発明では、該携帯機毎に個別に設定されたＩＤコードを記憶する携帯機と、対応する携帯機のＩＤコードと同一のＩＤコードを記憶する作動制御装置とを備え、前記作動制御装置は、前記携帯機との双方向通信を確立させるために所定の第１領域内にリクエスト信号を送信するとともに、前記携帯機との双方向通信を確立させるために前記第１領域とは互いに干渉しない第２領域内にリクエスト信号を送信する一方、前記携帯機は、前記第１領域内又は前記第２領域内で前記作動制御装置からのリクエスト信号に応答して該携帯機のＩＤコードを含む信号を送信し、前記作動制御装置は、少なくとも前記第１領域内での前記携帯機との双方向通信により両ＩＤコードが一致したことを条件として、制御対象となる開閉体の作動を許可する制御手段を有している電子キーシステムを用いた入退室管理システムであって、前記携帯機のＩＤコードと、前記第１領域内及び前記第２領域内で両ＩＤコードが一致した順序とに基づいて、携帯機の所有者による入退室を特定する特定手段を設けたことを特徴とする。
【００１６】
従って、請求項３に記載の発明によれば、対応する携帯機を所持しているユーザ（携帯機の所有者）が、一方向から開閉体に近付いてきて第１領域内に進入してくると、同第１領域内において、携帯機と作動制御装置との双方向通信が可能となる（第７の要素）。そして、このようにユーザにより対応する携帯機が所持されている場合には、両ＩＤコードが一致することから、制御対象となる開閉体の作動が許可される。その結果、開閉体が自動又は手動で開けられて、ユーザによる入室が可能となる。
【００１７】
ここで、上記のように両ＩＤコードが一致したことを条件として制御対象の作動が許可されることから、該制御対象の作動が許可された段階において、特定手段により携帯機の所有者（ユーザ）を特定することが可能となる（第８の要素）。一方、上記のようにユーザが入室した後、同ユーザが開閉体から遠ざかる方向に移動するのに伴って、やがてユーザが第２領域内に進入してくると、同第２領域内において、携帯機と作動制御装置との双方向通信が可能となる（第９の要素）。従って、これら３つの要素に基づいて、つまり携帯機のＩＤコードと、第１領域内及び第２領域内で両ＩＤコードが一致した順序とに基づいて、特定手段により携帯機の所有者（ユーザ）が入室してきた旨が特定される。
【００１８】
一方、対応する携帯機を所持しているユーザが、上記した入室時とは逆の方向から開閉体に近付いてきて第２領域内に進入してくると、同第２領域内において、携帯機と作動制御装置との双方向通信が可能となる（第１０の要素）。そして、ユーザが退室してゆくのに際して、同ユーザが開閉体にさらに近付く方向に移動するのに伴って、やがてユーザが第１領域内に進入してくると、同第１領域内において、携帯機と作動制御装置との双方向通信が可能となる（第１１の要素）。そして、このようにユーザにより対応する携帯機が所持されている場合には、両ＩＤコードが一致することから、制御対象となる開閉体の作動が許可される。その結果、開閉体が自動又は手動で開けられて、ユーザによる退室が可能となる。
【００１９】
ここで、上記のように両ＩＤコードが一致したことを条件として制御対象の作動が許可されることから、該制御対象の作動が許可された段階において、特定手段により携帯機の所有者（ユーザ）を特定することが可能となる（第１２の要素）。従って、これら３つの要素に基づいて、つまり携帯機のＩＤコードと、第１領域内及び第２領域内で両ＩＤコードが一致した順序とに基づいて、特定手段により携帯機の所有者（ユーザ）が退室しようとしている旨が特定される。
【００２０】
そして、これらのようにユーザは、対応する携帯機を所持しているだけでハンズフリーにて入退室が許可される。このため、ユーザに対して煩雑感や圧迫感を与える余地はなく簡便である。しかも、従来のメカニカルキーと比較して複製が格段に困難な携帯機を所持していなければ入退室が許可されない。このため、第三者により入退室される可能性は極めて低いものとなる。
【００２１】
請求項４に記載の発明では、該携帯機毎に個別に設定されたＩＤコードを記憶する携帯機と、対応する携帯機のＩＤコードと同一のＩＤコードを記憶する作動制御装置とを備え、前記作動制御装置は、前記携帯機との双方向通信を確立させるために所定の第１領域内にリクエスト信号を送信するとともに、前記携帯機との双方向通信を確立させるために前記第１領域とは互いに干渉する第２領域内にリクエスト信号を送信する一方、前記携帯機は、前記第１領域内又は前記第２領域内で前記作動制御装置からのリクエスト信号に応答して該携帯機のＩＤコードを含む信号を送信し、前記作動制御装置は、前記第１領域内又は前記第２領域内での前記携帯機との双方向通信により両ＩＤコードが一致したことを条件として、前記第１領域及び前記第２領域の一方から他方への人の通過を許容すべく、制御対象となる開閉体の作動を許可する制御手段を有している電子キーシステムを用いた入退室管理システムであって、前記第１領域と前記第２領域との干渉領域を人が通過した旨を検出する人検出手段と、前記携帯機のＩＤコードと、前記第１領域内及び前記第２領域内での両ＩＤコードの一致段階並びに前記人検出手段による人通過の検出段階の順序とに基づいて、携帯機の所有者による入退室を特定する特定手段とを設けたことを特徴とする。
【００２２】
従って、請求項４に記載の発明によれば、対応する携帯機を所持しているユーザ（携帯機の所有者）が、一方向から開閉体に近付いてきて第１領域内に進入してくると、同第１領域内において、携帯機と作動制御装置との双方向通信が可能となる（第１３の要素）。そして、このようにユーザにより対応する携帯機が所持されている場合には、両ＩＤコードが一致することから、制御対象となる開閉体の作動が許可される。その結果、開閉体が自動又は手動で開けられて、ユーザによる入室が可能となる。
【００２３】
ここで、上記のように両ＩＤコードが一致したことを条件として制御対象の作動が許可されることから、該制御対象の作動が許可された段階において、特定手段により携帯機の所有者（ユーザ）を特定することが可能となる（第１４の要素）。一方、上記のようにユーザが入室してくるのに伴って、同ユーザが第１領域と第２領域との干渉領域を通過すると、人検出手段により該干渉領域を人が通過した旨が検出される（第１５の要素）。他方、上記のようにユーザが入室した後、同ユーザが開閉体から遠ざかる方向に移動するのに伴って、やがてユーザが第１領域を越えた第２領域内に進入してくると、同第２領域内のみにおいて、携帯機と作動制御装置との双方向通信が可能となる（第１６の要素）。従って、これら４つの要素に基づいて、つまり携帯機のＩＤコードと、第１領域内及び第２領域内での両ＩＤコードの一致段階並びに人検出手段による人通過の検出段階の順序とに基づいて、特定手段により携帯機の所有者（ユーザ）が入室してきた旨が特定される。
【００２４】
一方、対応する携帯機を所持しているユーザが、上記した入室時とは逆の方向から開閉体に近付いてきて第２領域内に進入してくると、同第２領域内において、携帯機と作動制御装置との双方向通信が可能となる（第１７の要素）。そして、入室時と同様に制御対象となる開閉体の作動が許可される。その結果、開閉体が自動又は手動で開けられて、ユーザによる退室が可能となる。
【００２５】
ここで、上記のように両ＩＤコードが一致したことを条件として制御対象の作動が許可されることから、該制御対象の作動が許可された段階において、特定手段により携帯機の所有者（ユーザ）を特定することが可能となる（第１８の要素）。一方、上記のようにユーザが退室してゆくのに伴って、同ユーザが第１領域と第２領域との干渉領域を通過すると、人検出手段により該干渉領域を人が通過した旨が検出される（第１９の要素）。他方、上記のようにユーザが退室した後、同ユーザが開閉体から遠ざかる方向に移動するのに伴って、やがてユーザが第２領域を越えた第１領域内に進入してくると、同第１領域内のみにおいて、携帯機と作動制御装置との双方向通信が可能となる（第２０の要素）。従って、これら４つの要素に基づいて、つまり携帯機のＩＤコードと、第１領域内及び第２領域内での両ＩＤコードの一致段階並びに人検出手段による人通過の検出段階の順序とに基づいて、特定手段により携帯機の所有者（ユーザ）が退室していった旨が特定される。
【００２６】
そして、これらのようにユーザは、対応する携帯機を所持しているだけでハンズフリーにて入退室が許可される。このため、ユーザに対して煩雑感や圧迫感を与える余地はなく簡便である。しかも、従来のメカニカルキーと比較して複製が格段に困難な携帯機を所持していなければ入退室が許可されない。このため、第三者により入退室される可能性は極めて低いものとなる。
【００２７】
請求項５に記載の発明では、請求項４に記載の入退室管理システムにおいて、前記特定手段は、前記制御手段により制御対象の作動が許可されていないにも拘わらず、前記人検出手段により前記第１領域と前記第２領域との干渉領域を人が通過した旨が検出された場合には、該人の通過が携帯機の所有者以外の第三者によるものである旨を特定することを特徴とする。
【００２８】
この種の入退室管理システムでは、携帯機のＩＤコードと作動制御装置のＩＤコードとが一致したことを条件として、制御対象となる開閉体の作動が許可される。つまり、本来、対応する携帯機を所持していなければ入退室が許可されない。換言すれば、制御手段により制御対象の作動が許可されていないにも拘わらず、人検出手段により第１領域と第２領域との干渉領域を人が通過した旨が検出された場合には、該人の通過が携帯機の所有者以外の第三者によるものである可能性が高い。そして、請求項５に記載の発明に係る入退室管理システムによれば、かかる場合を想定した構成を採用することにより、該第三者による入退室を早期段階で検出することが可能となる。
【発明の効果】
【００２９】
本発明は、以上のように構成されているため、次のような効果を奏する。
請求項１〜請求項５のいずれか１項に記載の発明によれば、ユーザによる手動操作を一切必要とすることがなく、しかも高いセキュリティレベルを維持することができる。
【発明を実施するための最良の形態】
【００３０】
（第１実施形態）
以下、本発明を建物用の入退室管理システムに具体化した第１実施形態を説明する。
図１に示すように、本実施形態の入退室管理システム１は、引き戸２（図２及び図３参照）を介して行われる建物に対する人の入退室の状況を入退室管理装置３により管理して、該入退室状況を表示装置４に表示するためのものである。この入退室管理システム１には、スマートキーシステム５、屋外人検出センサ６、屋内人検出センサ７が併用されている。
【００３１】
スマートキーシステム５は、携帯機１０とドアアンロック制御装置２０とを備えている。携帯機１０は、建物の住人によって所持されるものである。ドアアンロック制御装置２０は、建物側に設けられるものである。そして、スマートキーシステム５は、携帯機１０とドアアンロック制御装置２０との双方向通信が可能に構成されている。
【００３２】
携帯機１０は、受信機能及び送信機能を有している。携帯機１０は、受信アンテナ１１、受信回路１２、マイコン１３、送信回路１４、送信アンテナ１５を備えている。受信回路１２は、ドアアンロック制御装置２０から送信されてくるリクエスト信号を受信アンテナ１１を介して受信するためのものである。そして、受信回路１２は、ドアアンロック制御装置２０からのリクエスト信号を受信すると、そのリクエスト信号を復調して受信信号を生成し、その受信信号をマイコン１３に出力する。マイコン１３は、図示しないＣＰＵ、ＲＯＭ、ＲＡＭ等からなるＣＰＵユニットであり、メモリ１３ａを備えている。このメモリ１３ａには、携帯機１０毎に個別に設定されたＩＤコードが記憶されている。
【００３３】
そして、マイコン１３は、前記受信回路１２から受信信号が入力されると、リクエスト信号に応答するために、携帯機１０のＩＤコードを含む信号を送信回路１４に出力する。送信回路１４は、マイコン１３から入力された該信号を所定周波数（本実施形態では３００ＭＨｚ）の電波に変調して送信アンテナ１５を介して送信するためのものである。尚、携帯機１０は、上記のようにリクエスト信号に応答して該携帯機１０のＩＤコードを含む信号を送信するための電源として、図示しない電池を備えている。
【００３４】
ドアアンロック制御装置２０は、送信回路２１、送信アンテナ２２、受信アンテナ２３、受信回路２４、スマートコントローラ２５を備えている。送信回路２１は、スマートコントローラ２５から入力されるリクエスト信号を所定周波数（本実施形態では１３４ＫＨｚ）の電波に変調して送信アンテナ２２を介して送信するためのものである。尚、送信アンテナ２２は、屋外送信アンテナ２２ａと屋内送信アンテナ２２ｂとにより構成されている。屋外送信アンテナ２２ａは、引き戸２の一側面、つまり屋外側の側面（引き戸２の外側面）に配設されている。一方、屋内送信アンテナ２２ｂは、引き戸２の他側面、つまり屋内側の側面（引き戸２の内側面）に配設されている。
【００３５】
そして、屋外送信アンテナ２２ａから送信されるリクエスト信号は、引き戸２の一側において、該引き戸２から２．０ｍ〜２．５ｍまでの範囲内に及ぶように、屋外送信アンテナ２２ａの指向性やリクエスト信号の出力が設定されている。一方、屋内送信アンテナ２２ｂから送信されるリクエスト信号は、引き戸２の他側において、該引き戸２から２．０ｍ〜２．５ｍまでの範囲内に及ぶように、屋内送信アンテナ２２ｂの指向性やリクエスト信号の出力が設定されている。その結果、本実施形態では、屋外送信アンテナ２２ａと屋内送信アンテナ２２ｂとが協働して、図２に２点鎖線で示す第１領域Ａ１の範囲内にリクエスト信号が送信されることとする。ちなみに、このように送信アンテナ２２から送信されるリクエスト信号は、引き戸２の周辺に形成される前記第１領域Ａ１内において、携帯機１０とドアアンロック制御装置２０との双方向通信を確立させるためのものである。
【００３６】
受信回路２４は、携帯機１０から送信されてくる信号、つまり携帯機１０のＩＤコードを含む信号、換言すればリクエスト信号の応答信号を受信アンテナ２３を介して受信するためのものである。尚、受信アンテナ２３は、屋外受信アンテナ２３ａと屋内受信アンテナ２３ｂとにより構成されている。そして、屋外受信アンテナ２３ａと前記屋外送信アンテナ２２ａとにより屋外アンテナユニットが構成されている。一方、屋内受信アンテナ２３ｂと前記屋内送信アンテナ２２ｂとにより屋内アンテナユニットが構成されている。そして、受信回路２４は、携帯機１０からの前記ＩＤコードを含む信号を受信すると、その信号を復調して受信信号を生成し、その受信信号をスマートコントローラ２５に出力する。
【００３７】
スマートコントローラ２５は、図示しないＣＰＵ、ＲＯＭ、ＲＡＭ等からなるＣＰＵユニットであり、メモリ２５ａを備えている。このメモリ２５ａには、対応する携帯機１０のＩＤコードと同一のＩＤコード（建物側のＩＤコード）であって、互いに異なる複数のＩＤコードが記憶されている。
【００３８】
そして、スマートコントローラ２５は、前記第１領域Ａ１内にリクエスト信号を送信したことに基づいて、受信回路２４から携帯機１０のＩＤコードを含む受信信号が入力されると、携帯機１０のＩＤコードと建物側のＩＤコードのいずれかとが一致しているか否かを判断する。つまり、この場合、スマートコントローラ２５は、ＩＤコード照合を実行する。そして、スマートコントローラ２５は、前記ＩＤコード照合により両ＩＤコードが一致したことを条件として、該一致したＩＤコードを含むドアアンロック許可信号を入退室管理装置３に出力する。つまり、この場合、スマートコントローラ２５は、ドアアンロック許可制御を実行する。
【００３９】
入退室管理装置３には、前記スマートコントローラ２５に加えて、屋外人検出センサ６、屋内人検出センサ７が電気的に接続されている。屋外人検出センサ６は、赤外線センサにより構成されている。屋外人検出センサ６は、引き戸２の直上に位置する側壁の一側面、つまり屋外側の壁面（外壁面）に配設されている。屋外人検出センサ６は、引き戸２の一側の所定領域内に人が存在している旨を検出するためのものである。尚、本実施形態の屋外人検出センサ６は、引き戸２の一側において、該引き戸２から１．０ｍ〜１．５ｍまでの範囲（図２及び図３に破線で示す屋外領域Ｂ１参照）内に人が存在している旨を検出することができるように指向性が設定されていることとする。そして、入退室管理装置３は、屋外人検出センサ６から入力される検出信号に基づいて、前記屋外領域Ｂ１内に人が存在している旨を検出する。
【００４０】
屋内人検出センサ７は、前記屋外人検出センサ６と同様の赤外線センサにより構成されている。屋内人検出センサ７は、引き戸２の直上に位置する前記側壁の他側面、つまり屋内側の壁面（内壁面）に配設されている。屋内人検出センサ７は、引き戸２の他側の所定領域内に人が存在している旨を検出するためのものである。尚、本実施形態の屋内人検出センサ７は、引き戸２の他側において、該引き戸２から１．０ｍ〜１．５ｍまでの範囲（図２に破線で示す屋内領域Ｃ１参照）内に人が存在している旨を検出することができるように指向性が設定されていることとする。そして、入退室管理装置３は、屋内人検出センサ７から入力される検出信号に基づいて、前記屋内領域Ｃ１内に人が存在している旨を検出する。
【００４１】
入退室管理装置３は、前記スマートコントローラ２５からドアアンロック許可信号が入力されると、図示しない解錠用アクチュエータを制御することにより引き戸２をアンロックさせる。そして、同入退室管理装置３は、このようにドアアンロック許可信号が入力されている状態で、前記屋外人検出センサ６から屋外領域Ｂ１内に人が存在している旨を示す検出信号が入力されると、図示しないドア駆動用アクチュエータを制御することにより引き戸２を開方向に自動的にスライドさせる。一方、同入退室管理装置３は、上記のようにドアアンロック許可信号が入力されている状態で、前記屋内人検出センサ７から屋内領域Ｃ１内に人が存在している旨を示す検出信号が入力された場合にも、前記ドア駆動用アクチュエータを制御することにより引き戸２を開方向に自動的にスライドさせる。そして、これらのように引き戸２が開方向にスライドされる結果、携帯機１０の所有者による建物に対する入退室がハンズフリーにて可能となる。
【００４２】
また、入退室管理装置３は、引き戸２を介して行われる建物に対する人の入退室の状況を特定し、該入退室状況を示すデータを生成して表示装置４に出力する。表示装置４は、入退室管理装置３から入力されたデータに基づいて、入退室状況を表示するためのものである。この表示装置４は、引き戸２から離れた部屋に設置されている。
【００４３】
次に、入退室状況を特定する場合の動作について説明する。
（携帯機１０の所有者による入室を特定する場合の動作）
さて、対応する携帯機１０を所持しているユーザ（携帯機１０の所有者）が入退室を問わず引き戸２に近付いてきた場合に該引き戸２を自動的にアンロックする機能（いわゆるスマート機能）を有効にするために、送信アンテナ２２から第１領域Ａ１内にリクエスト信号が送信される。つまり、ユーザが引き戸２に近付く行動は不定であるが、かかる行動がある度に適切に対応するために、通常は、送信アンテナ２２から第１領域Ａ１内にリクエスト信号が送信される。
【００４４】
そして、かかるユーザが、一方向から引き戸２に近付いてきて第１領域Ａ１内に進入してくると、携帯機１０とドアアンロック制御装置２０との双方向通信が可能となる。即ち、前記リクエスト信号に応答して携帯機１０からＩＤコードを含む信号が送信されてくる。すると、スマートコントローラ２５により、携帯機１０のＩＤコードと建物側のＩＤコードとが一致しているか否かが判断される。つまり、スマートコントローラ２５によりＩＤコード照合が実行される。そして、ユーザにより対応する携帯機１０が所持されている場合には、両ＩＤコードが一致することから、スマートコントローラ２５から入退室管理装置３にドアアンロック許可信号（該一致したＩＤコードを含む）が出力される。すると、入退室管理装置３により解錠用アクチュエータが制御されて引き戸２がアンロックされる。
【００４５】
そして、このように引き戸２がアンロックされている状態で、かかるユーザが引き戸２にさらに近付いてきて、やがてユーザが屋外領域Ｂ１内に進入してくると、屋外人検出センサ６から入退室管理装置３に該屋外領域Ｂ１内に人が存在している旨の検出信号が出力される。すると、入退室管理装置３によりドア駆動用アクチュエータが制御されて引き戸２が開方向に自動的にスライドされる。その結果、ユーザによる入室が可能となる。
【００４６】
そして、このようにしてユーザが入室してくることに伴って、同ユーザが屋内領域Ｃ１内に進入してくると、前記屋外人検出センサ６に代わって屋内人検出センサ７から入退室管理装置３に該屋内領域Ｃ１内に人が存在している旨の検出信号が出力される。このため、ユーザが屋内領域Ｃ１外に移動するまでの期間に亘って、入退室管理装置３により引き続きドア駆動用アクチュエータが制御されて引き戸２が開方向に自動的にスライドされたまま維持される。
【００４７】
その後、かかるユーザが引き戸２から遠ざかる方向に移動するのに伴って、やがてユーザが屋内領域Ｃ１を越えた第１領域Ａ１内に達すると、屋内人検出センサ７から入退室管理装置３に出力されていた前記検出信号が出力されなくなる。すると、入退室管理装置３により前記ドア駆動用アクチュエータが制御されて引き戸２が今度は閉方向に自動的にスライドされる。尚、このようにユーザが屋内領域Ｃ１を越えても、同ユーザが第１領域Ａ１内に存在している限り、携帯機１０とドアアンロック制御装置２０との双方向通信が可能であるため、同ユーザが第１領域Ａ１外に移動するまでの期間に亘って、入退室管理装置３により引き続き解錠用アクチュエータが制御されて引き戸２がアンロックされたまま維持される。
【００４８】
そして、かかるユーザが引き戸２からさらに遠ざかっていって、やがてユーザが第１領域Ａ１を越えると、携帯機１０とドアアンロック制御装置２０との双方向通信が不可能となる。すると、スマートコントローラ２５から入退室管理装置３に出力されていた前記ドアアンロック許可信号が出力されなくなる。その結果、入退室管理装置３により前記解錠用アクチュエータが制御されて引き戸２がロックされる。
【００４９】
ここで、上記のように両ＩＤコードが一致したことを条件として引き戸２のアンロックが許可されることから、該引き戸２のアンロックが許可された段階において、入退室管理装置３により携帯機１０の所有者（ユーザ）を特定することが可能となる（第１の要素）。一方、上記のようにユーザが入室してくるのに伴って、その入室前において、屋外人検出センサ６により引き戸２の一側の屋外領域Ｂ１内に人が存在している旨が検出される（第２の要素）。他方、入室後において、屋内人検出センサ７により引き戸２の他側の屋内領域Ｃ１内に人が存在している旨が検出される（第３の要素）。従って、これら３つの要素に基づいて、つまり携帯機１０のＩＤコードと、屋外人検出センサ６及び屋内人検出センサ７による人検出の順序とに基づいて、入退室管理装置３により携帯機１０の所有者（ユーザ）が入室した旨が特定される。
【００５０】
そして、このようにして入退室管理装置３によりユーザが入室した旨が特定されると、同入退室管理装置３により入退室状況を示すデータが生成されて、該データが入退室管理装置３から表示装置４に出力される。その結果、表示装置４により入退室状況として「Ａさんが入室しました」の文字が表示される。
【００５１】
（携帯機１０の所有者による退室を特定する場合の動作）
さて、対応する携帯機１０を所持しているユーザ（携帯機１０の所有者）が、上記した入室時とは逆の方向から引き戸２に近付いてきて第１領域Ａ１内に進入してくると、入室時と同様に引き戸２がアンロックされる。
【００５２】
そして、このように引き戸２がアンロックされている状態で、かかるユーザが引き戸２にさらに近付いてきて、やがてユーザが屋内領域Ｃ１内に進入してくると、屋内人検出センサ７から入退室管理装置３に該屋内領域Ｃ１内に人が存在している旨の検出信号が出力される。すると、入退室管理装置３によりドア駆動用アクチュエータが制御されて引き戸２が開方向に自動的にスライドされる。その結果、ユーザによる退室が可能となる。
【００５３】
そして、このようにしてユーザが退室してゆくのに伴って、同ユーザが屋外領域Ｂ１内に進入してくると、前記屋内人検出センサ７に代わって屋外人検出センサ６から入退室管理装置３に該屋外領域Ｂ１内に人が存在している旨の検出信号が出力される。このため、ユーザが屋外領域Ｂ１外に移動するまでの期間に亘って、入退室管理装置３により引き続きドア駆動用アクチュエータが制御されて引き戸２が開方向に自動的にスライドされたまま維持される。
【００５４】
その後、かかるユーザが引き戸２から遠ざかる方向に移動するのに伴って、やがてユーザが屋外領域Ｂ１を越えた第１領域Ａ１内に達すると、屋外人検出センサ６から入退室管理装置３に出力されていた前記検出信号が出力されなくなる。すると、入退室管理装置３により前記ドア駆動用アクチュエータが制御されて引き戸２が今度は閉方向に自動的にスライドされる。尚、このようにユーザが屋外領域Ｂ１を越えても、同ユーザが第１領域Ａ１内に存在している限り、携帯機１０とドアアンロック制御装置２０との双方向通信が可能であるため、同ユーザが第１領域Ａ１外に移動するまでの期間に亘って、入退室管理装置３により引き続き解錠用アクチュエータが制御されて引き戸２がアンロックされたまま維持される。
【００５５】
そして、かかるユーザが引き戸２からさらに遠ざかっていって、やがてユーザが第１領域Ａ１を越えると、携帯機１０とドアアンロック制御装置２０との双方向通信が不可能となる。すると、スマートコントローラ２５から入退室管理装置３に出力されていたドアアンロック許可信号が出力されなくなる。その結果、入退室管理装置３により解錠用アクチュエータが制御されて引き戸２がロックされる。
【００５６】
ここで、上記のように両ＩＤコードが一致したことを条件として引き戸２のアンロックが許可されることから、該引き戸２のアンロックが許可された段階において、入退室管理装置３により携帯機１０の所有者（ユーザ）を特定することが可能となる（第４の要素）。一方、上記のようにユーザが退室してゆくのに伴って、その退室前において、屋内人検出センサ７により引き戸２の他側の屋内領域Ｃ１内に人が存在している旨が検出される（第５の要素）。他方、退室後において、屋外人検出センサ６により引き戸２の一側の屋外領域Ｂ１内に人が存在している旨が検出される（第６の要素）。従って、これら３つの要素に基づいて、つまり携帯機１０のＩＤコードと、屋外人検出センサ６及び屋内人検出センサ７による人検出の順序とに基づいて、入退室管理装置３により携帯機１０の所有者（ユーザ）が退室した旨が特定される。
【００５７】
そして、このようにして入退室管理装置３によりユーザが退室した旨が特定されると、同入退室管理装置３により入退室状況を示すデータが生成されて、該データが入退室管理装置３から表示装置４に出力される。その結果、表示装置４により入退室状況として「Ａさんが退室しました」の文字が表示される。
【００５８】
（第三者による入室を特定する場合の動作）
さて、携帯機１０の所有者以外の第三者が、一方向から引き戸２に近付いてきて第１領域Ａ１内に進入してきても、該第三者は携帯機１０を所持していないことから、ドアアンロック制御装置２０との双方向通信は不可能である。その結果、スマートコントローラ２５から入退室管理装置３にドアアンロック許可信号が出力されないため、引き戸２がロックされたまま維持される。
【００５９】
そして、このように引き戸２がロックされている状態で、かかる第三者が引き戸２にさらに近付いてきて、やがて第三者が屋外領域Ｂ１内に進入してくると、屋外人検出センサ６から入退室管理装置３に該屋外領域Ｂ１内に人が存在している旨の検出信号が出力される。しかし、この場合、スマートコントローラ２５からドアアンロック許可信号が入力されていない状態で、屋外人検出センサ６から前記検出信号が入力されているに過ぎないため、入退室管理装置３により引き戸２が開方向にスライドされることはなく、同引き戸２は引き続きロックされたまま維持される。
【００６０】
その後、何らかの手段により第三者が入室してくることに伴って、同第三者が屋内領域Ｃ１内に侵入してくると、前記屋外人検出センサ６に代わって屋内人検出センサ７から入退室管理装置３に該屋内領域Ｃ１内に人が存在している旨の検出信号が出力される。尚、この場合、スマートコントローラ２５からドアアンロック許可信号が入力されていない状態で、屋内人検出センサ７から前記検出信号が入力されているに過ぎないため、入退室管理装置３により引き戸２が開方向にスライドされることはなく、同引き戸２は引き続きロックされたまま維持される。
【００６１】
ここで、屋外人検出センサ６及び屋内人検出センサ７による人検出の順序に基づいて、入退室管理装置３により入室があった旨が特定される。特に、スマートコントローラ２５からドアアンロック許可信号が入力されていないにも拘わらず、このように入室があった旨を特定したことに基づいて、入退室管理装置３により該入室が第三者によるものである旨が特定される。
【００６２】
そして、このようにして入退室管理装置３により第三者が入室した旨が特定されると、同入退室管理装置３により入退室状況を示すデータが生成されて、該データが入退室管理装置３から表示装置４に出力される。その結果、表示装置４により入退室状況として「侵入者がいます」の文字が表示される。
【００６３】
（第三者による退室を特定する場合の動作）
さて、携帯機１０の所有者以外の第三者が、上記した入室時とは逆の方向から引き戸２に近付いてきて第１領域Ａ１内に進入してきても、入室時と同様に引き戸２がロックされたまま維持される。
【００６４】
そして、このように引き戸２がロックされている状態で、かかる第三者が引き戸２にさらに近付いてきて、やがて第三者が屋内領域Ｃ１内に進入してくると、屋内人検出センサ７から入退室管理装置３に該屋内領域Ｃ１内に人が存在している旨の検出信号が出力される。しかし、この場合、スマートコントローラ２５からドアアンロック許可信号が入力されていない状態で、屋内人検出センサ７から前記検出信号が入力されているに過ぎないため、入退室管理装置３により引き戸２が開方向にスライドされることはなく、同引き戸２は引き続きロックされたまま維持される。
【００６５】
その後、何らかの手段により第三者が退室してゆくのに伴って、同第三者が屋外領域Ｂ１内に進入してくると、前記屋内人検出センサ７に代わって屋外人検出センサ６から入退室管理装置３に該屋外領域Ｂ１内に人が存在している旨の検出信号が出力される。尚、この場合、スマートコントローラ２５からドアアンロック許可信号が入力されていない状態で、屋外人検出センサ６から前記検出信号が入力されているに過ぎないため、入退室管理装置３により引き戸２が開方向にスライドされることはなく、同引き戸２は引き続きロックされたまま維持される。
【００６６】
ここで、屋外人検出センサ６及び屋内人検出センサ７による人検出の順序に基づいて、入退室管理装置３により退室があった旨が特定される。特に、スマートコントローラ２５からドアアンロック許可信号が入力されていないにも拘わらず、このように退室があった旨を特定したことに基づいて、入退室管理装置３により該退室が第三者によるものである旨が特定される。
【００６７】
そして、このようにして入退室管理装置３により第三者が退室した旨が特定されると、同入退室管理装置３により入退室状況を示すデータが生成されて、該データが入退室管理装置３から表示装置４に出力される。その結果、表示装置４により入退室状況として「侵入者が退室しました」の文字が表示される。
【００６８】
以上、詳述したように本実施形態によれば、次のような作用、効果を得ることができる。
（１）入退室を管理するのに際して、携帯機１０のＩＤコードと、屋外人検出センサ６及び屋内人検出センサ７による人検出の順序とに基づいて、入退室管理装置３により携帯機１０の所有者による入退室が特定される。ここで、ユーザは、対応する携帯機１０を所持しているだけでハンズフリーにて入退室が許可される。このため、ユーザに対して煩雑感や圧迫感を与える余地はなく簡便である。しかも、従来のメカニカルキーと比較して複製が格段に困難な携帯機１０を所持していなければ入退室が許可されない。このため、第三者により入退室される可能性は極めて低いものとなる。従って、ユーザによる手動操作を一切必要とすることがなく、しかも高いセキュリティレベルを維持することができる。
【００６９】
（２）入退室管理システム１では、携帯機１０のＩＤコードと建物側のＩＤコードとが一致したことを条件として、引き戸２のアンロックが許可される。つまり、本来、対応する携帯機１０を所持していなければ入退室が許可されない。換言すれば、スマートコントローラ２５により引き戸２のアンロックが許可されていないにも拘わらず、屋外人検出センサ６及び屋内人検出センサ７による人検出の順序に基づいて、入退室管理装置３により入退室が特定された場合には、該入退室が携帯機１０の所有者以外の第三者によるものである可能性が高い。そして、入退室管理システム１によれば、かかる場合を想定した構成を採用することにより、該第三者による入退室を早期段階で検出することが可能となる。従って、セキュリティレベルを向上させることができる。
【００７０】
（３）入退室管理装置３により特定された入退室状況が、引き戸２から離れた部屋に設置された表示装置４により表示される。従って、かかる表示による報知に基づいて、入退室状況を的確に認識させることができる。
【００７１】
（４）メモリ２５ａには、互いに異なる複数のＩＤコードが記憶されている。従って、入退室許可の対象となるユーザを複数人に設定することができる。また、入退室管理の対象となるユーザを複数人に設定することができる。
【００７２】
（５）入退室を管理するのに際して、比較的消費電力の少ない（暗電流の小さい）赤外線センサにより構成された屋外人検出センサ６及び屋内人検出センサ７を用いていることから、省電力にて入退室管理を実現することができる。
【００７３】
（６）屋外人検出センサ６及び屋内人検出センサ７により「人」を直接検出していることから、「人」を確実に検出することができる。
尚、前記第１実施形態は、次のように変更して具体化することも可能である。
【００７４】
・引き戸２がアンロックされている状態で、ユーザが屋外領域Ｂ１又は屋内領域Ｃ１内に進入してくると、引き戸２が開方向に自動的にスライドされる構成に代えて、ユーザが手動で引き戸２をスライドさせることで入退室が可能となる構成としてもよい。つまり、前記第１実施形態のような自動ドアに限定される訳ではない。
【００７５】
・屋外人検出センサ６及び屋内人検出センサ７として、赤外線センサ以外のセンサを用いても良いことは言うまでもない。
・屋外人検出センサ６（屋内人検出センサ７）から入退室管理装置３に検出信号が入力されてから所定時間（例えば１５秒間）が経過するまでの期間内に、屋内人検出センサ７（屋外人検出センサ６）から入退室管理装置３に検出信号が入力されたことを条件として、入退室管理を行う構成としてもよい。
【００７６】
・第１領域Ａ１と屋外領域Ｂ１との関係を任意に設定しても良い。例えば、入室に際して、先に屋外人検出センサ６により人検出が行われた後で、携帯機１０とドアアンロック制御装置２０との双方向通信が行われるように、第１領域Ａ１と屋外領域Ｂ１との関係を設定してもよい。この場合、入退室管理装置３は、屋外人検出センサ６から屋外領域Ｂ１内に人が存在している旨を示す検出信号が入力されて、且つスマートコントローラ２５からドアアンロック許可信号が入力されると、解錠用アクチュエータを制御することにより引き戸２をアンロックさせる。続いて、入退室管理装置３は、ドア駆動用アクチュエータを制御することにより引き戸２を開方向に自動的にスライドさせる。
【００７７】
・第１領域Ａ１と屋内領域Ｃ１との関係を任意に設定しても良い。例えば、退室に際して、先に屋内人検出センサ７により人検出が行われた後で、携帯機１０とドアアンロック制御装置２０との双方向通信が行われるように、第１領域Ａ１と屋内領域Ｃ１との関係を設定してもよい。この場合、入退室管理装置３は、屋内人検出センサ７から屋内領域Ｃ１内に人が存在している旨を示す検出信号が入力されて、且つスマートコントローラ２５からドアアンロック許可信号が入力されると、解錠用アクチュエータを制御することにより引き戸２をアンロックさせる。続いて、入退室管理装置３は、ドア駆動用アクチュエータを制御することにより引き戸２を開方向に自動的にスライドさせる。
【００７８】
・携帯機１０に電池切れが生じた場合には、第１領域Ａ１よりも極めて狭い領域内において、携帯機１０とドアアンロック制御装置２０との双方向通信を確立させるための構成を採用してもよい。この場合、ドアアンロック制御装置２０には、トランスポンダ起動用電波を送信するための送信回路及びアンテナを設ける。一方、携帯機１０には、前記トランスポンダ起動用電波に基づいて起電力を発生し、該トランスポンダ毎、つまり携帯機１０毎に個別に設定されたトランスポンダコードを含む信号を所定周波数（例えば１３４ＫＨｚ）の電波として送信するトランスポンダを設ける。他方、メモリ２５ａには、対応する携帯機１０のトランスポンダコードと同一のトランスポンダコード（建物側のトランスポンダコード）であって、互いに異なる複数のトランスポンダコードを記憶させておく。
【００７９】
このように構成すれば、入室に際して、屋外人検出センサ６による人検出、該狭領域内での両トランスポンダコードの一致、該一致を条件とした引き戸２のアンロック許可，アンロック，開方向へのスライド、屋内人検出センサ７による人検出の順序で各動作が行われる。従って、電池切れ時には、携帯機１０のトランスポンダコードと、屋外人検出センサ６及び屋内人検出センサ７による人検出の順序とに基づいて、入退室管理装置３によりユーザが入室した旨が特定される。
【００８０】
一方、退室に際して、屋内人検出センサ７による人検出、該狭領域内での両トランスポンダコードの一致、該一致を条件とした引き戸２のアンロック許可，アンロック，開方向へのスライド、屋外人検出センサ６による人検出の順序で各動作が行われる。従って、電池切れ時には、携帯機１０のトランスポンダコードと、屋外人検出センサ６及び屋内人検出センサ７による人検出の順序とに基づいて、入退室管理装置３によりユーザが退室した旨が特定される。
【００８１】
また、スマートコントローラ２５により引き戸２のアンロックが許可されていないにも拘わらず、屋外人検出センサ６及び屋内人検出センサ７による人検出の順序に基づいて、入退室管理装置３により入退室が特定された場合には、該入退室が携帯機１０の所有者以外の第三者によるものである旨を特定することが可能となる。
【００８２】
（第２実施形態）
以下、本発明を建物用の入退室管理システムに具体化した第２実施形態を説明する。
図４に示すように、本実施形態の入退室管理システム１０１は、開き戸１０２（図５参照）を介して行われる建物に対する人の入退室の状況を入退室管理装置１０３により管理して、該入退室状況を表示装置４（前記第１実施形態と同様）に表示するためのものである。尚、図４に示す本実施形態の入退室管理システム１０１が、図１に示す前記第１実施形態の入退室管理システム１と主に異なる点は、スマートキーシステム５、屋外人検出センサ６、屋内人検出センサ７を併用することに代えて、互いに干渉しない２つの領域内の各々で双方向通信を行うことにより入退室管理を行う点である。つまり、本実施形態の入退室管理システム１０１には、屋外人検出センサ６及び屋内人検出センサ７がいずれも省略されている一方で、スマートキーシステム５（前記第１実施形態と同様）、スマートキーシステム１０６が併用されている。
【００８３】
スマートキーシステム１０６は、携帯機１０（前記第１実施形態と同様）とスマート通信制御装置１２０とを備えている。本実施形態の携帯機１０は、前記第１実施形態と同様にドアアンロック制御装置２０との双方向通信が可能である一方で、スマート通信制御装置１２０との双方向通信も可能に構成されている。つまり、携帯機１０は、スマート通信制御装置１２０から送信されてくるリクエスト信号に応答して該携帯機１０のＩＤコードを含む信号を送信するためのものでもある。
【００８４】
スマート通信制御装置１２０は、送信回路２１、送信アンテナ２２、受信アンテナ２３、受信回路２４、スマートコントローラ２５の各々とそれぞれ同様の送信回路１２１、送信アンテナ１２２、受信アンテナ１２３、受信回路１２４、スマートコントローラ１２５を備えている。尚、送信アンテナ１２２は、廊下第１送信アンテナ１２２ａと廊下第２送信アンテナ１２２ｂとにより構成されている。廊下第１送信アンテナ１２２ａは、廊下を区画形成する一側壁に配設されている。一方、廊下第２送信アンテナ１２２ｂは、該廊下を区画形成する他側壁に配設されている。
【００８５】
そして、廊下第１送信アンテナ１２２ａから送信されるリクエスト信号は、該一側壁から廊下に向かって、該一側壁から２．０ｍ〜２．５ｍまでの範囲内に及ぶように、廊下第１送信アンテナ１２２ａの指向性やリクエスト信号の出力が設定されている。一方、廊下第２送信アンテナ１２２ｂから送信されるリクエスト信号は、該他側壁から廊下に向かって、該他側壁から２．０ｍ〜２．５ｍまでの範囲内に及ぶように、廊下第２送信アンテナ１２２ｂの指向性やリクエスト信号の出力が設定されている。
【００８６】
その結果、本実施形態では、廊下第１送信アンテナ１２２ａと廊下第２送信アンテナ１２２ｂとが協働して、前記第１領域Ａ１とは互いに干渉しないように配慮された上で、図５に２点鎖線で示す第２領域Ａ２の範囲内にリクエスト信号が送信されることとする。ただし、廊下第１送信アンテナ１２２ａからのリクエスト信号の送信領域と廊下第２送信アンテナ１２２ｂからのリクエスト信号の送信領域とは互いに干渉しているものの、両リクエスト信号同士が互いに干渉しないように、両リクエスト信号の各々が所定の時間差をもって交互に送信されるように配慮されていることとする。ちなみに、このように送信アンテナ１２２から送信されるリクエスト信号は、廊下に形成される前記第２領域Ａ２内において、携帯機１０とスマート通信制御装置１２０との双方向通信を確立させるためのものである。
【００８７】
受信回路１２４は、携帯機１０から送信されてくる信号、つまり携帯機１０のＩＤコードを含む信号、換言すればリクエスト信号の応答信号を受信アンテナ１２３を介して受信するためのものである。尚、受信アンテナ１２３は、廊下第１受信アンテナ１２３ａと廊下第２受信アンテナ１２３ｂとにより構成されている。そして、廊下第１受信アンテナ１２３ａと前記廊下第１送信アンテナ１２２ａとにより廊下第１アンテナユニットが構成されている。一方、廊下第２受信アンテナ１２３ｂと前記廊下第２送信アンテナ１２２ｂとにより廊下第２アンテナユニットが構成されている。そして、受信回路１２４は、携帯機１０からの前記ＩＤコードを含む信号を受信すると、その信号を復調して受信信号を生成し、その受信信号をスマートコントローラ１２５に出力する。
【００８８】
スマートコントローラ１２５は、図示しないＣＰＵ、ＲＯＭ、ＲＡＭ等からなるＣＰＵユニットであり、メモリ１２５ａを備えている。このメモリ１２５ａには、対応する携帯機１０のＩＤコードと同一のＩＤコード（建物側のＩＤコード）であって、互いに異なる複数のＩＤコードが記憶されている。
【００８９】
そして、スマートコントローラ１２５は、前記第２領域Ａ２内にリクエスト信号を送信したことに基づいて、受信回路１２４から携帯機１０のＩＤコードを含む受信信号が入力されると、携帯機１０のＩＤコードと建物側のＩＤコードのいずれかとが一致しているか否かを判断する。つまり、この場合、スマートコントローラ１２５は、ＩＤコード照合を実行する。そして、スマートコントローラ１２５は、前記ＩＤコード照合により両ＩＤコードが一致したと判断した場合には、該一致したＩＤコードを含む照合一致信号を入退室管理装置１０３に出力する。
【００９０】
入退室管理装置１０３は、スマートコントローラ２５からドアアンロック許可信号が入力されると、図示しない解錠用アクチュエータを制御することにより開き戸１０２をアンロックさせる。そして、このように開き戸１０２がアンロックされることにより、携帯機１０の所有者による開き戸１０２の手動での開操作が可能となる結果、建物に対する入退室が可能となる。尚、本実施形態では、このように手動で開き戸１０２が開操作されるものの、開き戸１０２のアンロックがハンズフリーにて行われる点で前記第１実施形態と共通している。
【００９１】
また、入退室管理装置１０３は、開き戸１０２を介して行われる建物に対する人の入退室の状況を特定し、該入退室状況を示すデータを生成して表示装置４に出力する。表示装置４は、入退室管理装置１０３から入力されたデータに基づいて、入退室状況を表示するためのものである。この表示装置４は、開き戸１０２から離れた部屋に設置されている。
【００９２】
次に、入退室状況を特定する場合の動作について説明する。
（携帯機１０の所有者による入室を特定する場合の動作）
さて、前記第１実施形態と同様に、スマート機能を有効にするために、通常は、送信アンテナ２２から第１領域Ａ１内にリクエスト信号が送信される。また、本実施形態では、対応する携帯機１０を所持しているユーザ（携帯機１０の所有者）が入退室を問わず第２領域Ａ２に進入してきた場合に、その旨を検出するために、送信アンテナ１２２から第２領域Ａ２内にリクエスト信号が送信される。つまり、ユーザが第２領域Ａ２内に進入してくる行動は不定であるが、かかる行動がある度に適切に対応するために、通常は、送信アンテナ１２２から第２領域Ａ２内にリクエスト信号が送信される。
【００９３】
そして、かかるユーザが、一方向から開き戸１０２に近付いてきて第１領域Ａ１内に進入してくると、同第１領域Ａ１内において、携帯機１０とドアアンロック制御装置２０との双方向通信が可能となる（第７の要素）。すると、前記第１実施形態と同様に、入退室管理装置１０３により開き戸１０２がアンロックされる。その結果、ユーザによる入室が可能となる。
【００９４】
そして、かかるユーザが入室してくるのに際して、同ユーザが第１領域Ａ１外に移動するまでの期間に亘って、入退室管理装置１０３により開き戸１０２がアンロックされたまま維持される。
【００９５】
そして、かかるユーザが入室した後、同ユーザが開き戸１０２から遠ざかる方向に移動するのに伴って、やがてユーザが第１領域Ａ１を越えると、携帯機１０とドアアンロック制御装置２０との双方向通信が不可能になる。すると、前記第１実施形態と同様に、入退室管理装置１０３により開き戸１０２がロックされる。
【００９６】
その後、かかるユーザが開き戸１０２からさらに遠ざかっていって、やがてユーザが第２領域Ａ２内に進入してくると、今度は同第２領域Ａ２内において、携帯機１０とスマート通信制御装置１２０との双方向通信が可能となる。即ち、第２領域Ａ２内で前記リクエスト信号に応答して携帯機１０からＩＤコードを含む信号が送信されてくる。すると、スマートコントローラ１２５により、携帯機１０のＩＤコードと建物側のＩＤコードとが一致しているか否かが判断される。つまり、スマートコントローラ１２５によりＩＤコード照合が実行される。そして、ユーザにより対応する携帯機１０が所持されている場合には、両ＩＤコードが一致することから、スマートコントローラ１２５から入退室管理装置１０３に照合一致信号（該一致したＩＤコードを含む）が出力される。
【００９７】
ここで、第１領域Ａ１内で両ＩＤコードが一致したことを条件として開き戸１０２のアンロックが許可されることから、該開き戸１０２のアンロックが許可された段階において、入退室管理装置１０３により携帯機１０の所有者（ユーザ）を特定することが可能となる（第８の要素）。一方、上記のようにユーザが入室した後、同ユーザが開き戸１０２から遠ざかる方向に移動するのに伴って、やがてユーザが第２領域Ａ２内に進入してくると、同第２領域Ａ２内において、携帯機１０とスマート通信制御装置１２０との双方向通信が可能となる（第９の要素）。従って、これら３つの要素に基づいて、つまり携帯機１０のＩＤコードと、第１領域Ａ１内及び第２領域Ａ２内で両ＩＤコードが一致した順序とに基づいて、入退室管理装置１０３により携帯機１０の所有者（ユーザ）が入室してきた旨が特定される。
【００９８】
そして、このようにして入退室管理装置１０３によりユーザが入室してきた旨が特定されると、表示装置４により入退室状況として「Ａさんが入室してきました」の文字が表示される。
【００９９】
（携帯機１０の所有者による退室を特定する場合の動作）
さて、対応する携帯機１０を所持しているユーザ（携帯機１０の所有者）が、上記した入室時とは逆の方向から開き戸１０２に近付いてきて第２領域Ａ２内に進入してくると、同第２領域Ａ２内において、携帯機１０とスマート通信制御装置１２０との双方向通信が可能となる（第１０の要素）。
【０１００】
そして、ユーザが退室してゆくのに際して、同ユーザが開き戸１０２にさらに近付く方向に移動するのに伴って、やがてユーザが第１領域Ａ１内に進入してくると、今度は同第１領域Ａ１内において、携帯機１０とドアアンロック制御装置２０との双方向通信が可能となる（第１１の要素）。そして、このようにユーザにより対応する携帯機１０が所持されている場合には、両ＩＤコードが一致することから、開き戸１０２がアンロックされる。その結果、ユーザによる退室が可能となる。
【０１０１】
そして、かかるユーザが退室してゆくのに際して、同ユーザが第１領域Ａ１外に移動するまでの期間に亘って、入退室管理装置１０３により開き戸１０２がアンロックされたまま維持される。
【０１０２】
そして、かかるユーザが退室した後、同ユーザが開き戸１０２から遠ざかる方向に移動するのに伴って、やがてユーザが第１領域Ａ１を越えると、携帯機１０とドアアンロック制御装置２０との双方向通信が不可能になる。すると、前記第１実施形態と同様に、入退室管理装置１０３により開き戸１０２がロックされる。
【０１０３】
ここで、上記のように第１領域Ａ１内で両ＩＤコードが一致したことを条件として開き戸１０２のアンロックが許可されることから、該開き戸１０２のアンロックが許可された段階において、入退室管理装置１０３により携帯機１０の所有者（ユーザ）を特定することが可能となる（第１２の要素）。従って、これら３つの要素に基づいて、つまり携帯機１０のＩＤコードと、第１領域Ａ１内及び第２領域Ａ２内で両ＩＤコードが一致した順序とに基づいて、入退室管理装置１０３により携帯機１０の所有者（ユーザ）が退室しようとしている旨が特定される。
【０１０４】
そして、このようにして入退室管理装置１０３によりユーザが退室しようとしている旨が特定されると、表示装置４により入退室状況として「Ａさんが退室しようとしています」の文字が表示される。
【０１０５】
以上、詳述したように本実施形態によれば、次のような作用、効果を得ることができる。
（７）入退室を管理するのに際して、携帯機１０のＩＤコードと、第１領域Ａ１内及び第２領域Ａ２内で両ＩＤコードが一致した順序とに基づいて、入退室管理装置１０３により携帯機１０の所有者による入退室が特定される。ここで、ユーザは、対応する携帯機１０を所持しているだけでハンズフリーにて入退室が許可される。このため、ユーザに対して煩雑感や圧迫感を与える余地はなく簡便である。しかも、従来のメカニカルキーと比較して複製が格段に困難な携帯機１０を所持していなければ入退室が許可されない。このため、第三者により入退室される可能性は極めて低いものとなる。従って、ユーザによる手動操作を一切必要とすることがなく、しかも高いセキュリティレベルを維持することができる。
【０１０６】
（８）入退室管理装置１０３により特定された入退室状況が、開き戸１０２から離れた部屋に設置された表示装置４により表示される。従って、かかる表示による報知に基づいて、入退室状況を的確に認識させることができる。
【０１０７】
（９）メモリ２５ａ，１２５ａの各々には、互いに異なる複数のＩＤコードが記憶されている。従って、入退室許可の対象となるユーザを複数人に設定することができる。また、入退室管理の対象となるユーザを複数人に設定することができる。
【０１０８】
（１０）スマートコントローラ２５によりＩＤコード照合を実行することに加えて、スマートコントローラ１２５によってもＩＤコード照合を実行していることから、携帯機１０の所有者を確実に特定することができる。
【０１０９】
尚、前記第２実施形態は、次のように変更して具体化することも可能である。
・第２領域Ａ２内で両ＩＤコードが一致して、且つ第１領域Ａ１内で両ＩＤコードが一致したことを条件として、退室を許可すべく開き戸１０２のアンロックを許可する構成としてもよい。この場合、第１領域Ａ１内での双方向通信により両ＩＤコードが一致した場合にスマートコントローラ２５から入退室管理装置１０３にドアアンロック許可信号が出力されることに加えて、第２領域Ａ２内での双方向通信により両ＩＤコードが一致した場合にスマートコントローラ１２５から入退室管理装置１０３にドアアンロック許可信号が出力される。
【０１１０】
・スマートコントローラ２５から入退室管理装置１０３にドアアンロック許可信号が入力されてから所定時間（例えば１５秒間）が経過するまでの期間内に、スマートコントローラ１２５から入退室管理装置１０３に照合一致信号が入力されたことを条件として、入退室管理を行う構成としてもよい。
【０１１１】
・逆に、スマートコントローラ１２５から入退室管理装置１０３に照合一致信号が入力されてから所定時間（例えば１５秒間）が経過するまでの期間内に、スマートコントローラ２５から入退室管理装置１０３にドアアンロック許可信号が入力されたことを条件として、入退室管理を行う構成としてもよい。
【０１１２】
・携帯機１０に電池切れが生じた場合には、第１領域Ａ１又は第２領域Ａ２よりも極めて狭い領域内において、携帯機１０とドアアンロック制御装置２０又はスマート通信制御装置１２０との双方向通信を確立させるための構成を採用してもよい。
【０１１３】
・スマートキーシステム５とスマートキーシステム１０６とを統合して、単一のスマートコントローラにより合計８つのアンテナを介して双方向通信を行い得る構成としてもよい。
【０１１４】
（第３実施形態）
以下、本発明を建物用の入退室管理システムに具体化した第３実施形態を説明する。
図６に示すように、本実施形態の入退室管理システム２０１は、シャッター２０２（図７参照）を介して行われる人の入退室の状況を入退室管理装置２０３により管理して、該入退室状況を表示装置４（前記第１実施形態と同様）に表示するためのものである。尚、図６に示す本実施形態の入退室管理システム２０１が、図１に示す前記第１実施形態の入退室管理システム１や図４に示す前記第２実施形態の入退室管理システム１０１と主に異なる点は、互いに干渉する２つの領域内の各々で双方向通信を行い、さらに人検出センサを併用することにより入退室管理を行う点である。つまり、本実施形態の入退室管理システム２０１には、スマートキーシステム２０５、スマートキーシステム２０６、人検出センサ２０７が併用されている。
【０１１５】
スマートキーシステム２０５は、携帯機１０（前記第１実施形態と同様）とドアアンロック制御装置２２０とを備えている。本実施形態の携帯機１０は、ドアアンロック制御装置２２０との双方向通信が可能である一方、後述するドアアンロック制御装置３２０との双方向通信も可能に構成されている。つまり、携帯機１０は、ドアアンロック制御装置２２０，３２０から送信されてくるリクエスト信号に応答して該携帯機１０のＩＤコードを含む信号を送信するためのものである。
【０１１６】
ドアアンロック制御装置２２０は、送信回路２１、送信アンテナ２２、受信アンテナ２３、受信回路２４、スマートコントローラ２５の各々とそれぞれ同様の送信回路２２１、送信アンテナ２２２、受信アンテナ２２３、受信回路２２４、スマートコントローラ２２５を備えている。送信アンテナ２２２は、通路を区画形成する一側壁において、シャッター２０２の一側に配設されている。
【０１１７】
そして、送信アンテナ２２２から送信されるリクエスト信号は、該一側壁から他側壁に向かって、該一側壁から２．０ｍ〜２．５ｍまでの範囲内に及ぶように、送信アンテナ２２２の指向性やリクエスト信号の出力が設定されている。その結果、本実施形態では、図７に２点鎖線で示す第１領域Ｄ１の範囲内にリクエスト信号が送信されることとする。尚、前記第１領域Ｄ１は、該一側壁から他側壁に至るように配慮されていることとする。ちなみに、このように送信アンテナ２２２から送信されるリクエスト信号は、シャッター２０２の周辺であって該シャッター２０２の一側に主に形成されるとともに同シャッター２０２の他側にも僅かに及ぶように形成される前記第１領域Ｄ１内において、携帯機１０とドアアンロック制御装置２２０との双方向通信を確立させるためのものである。
【０１１８】
受信回路２２４は、携帯機１０から送信されてくる信号、つまり携帯機１０のＩＤコードを含む信号、換言すればリクエスト信号の応答信号を受信アンテナ２２３を介して受信するためのものである。尚、受信アンテナ２２３と前記送信アンテナ２２２とにより通路第１アンテナユニットが構成されている。そして、受信回路２２４は、携帯機１０からの前記ＩＤコードを含む信号を受信すると、その信号を復調して受信信号を生成し、その受信信号をスマートコントローラ２２５に出力する。
【０１１９】
スマートコントローラ２２５は、図示しないＣＰＵ、ＲＯＭ、ＲＡＭ等からなるＣＰＵユニットであり、メモリ２２５ａを備えている。このメモリ２２５ａには、対応する携帯機１０のＩＤコードと同一のＩＤコード（建物側のＩＤコード）であって、互いに異なる複数のＩＤコードが記憶されている。
【０１２０】
そして、スマートコントローラ２２５は、前記第１領域Ｄ１内にリクエスト信号を送信したことに基づいて、受信回路２２４から携帯機１０のＩＤコードを含む受信信号が入力されると、携帯機１０のＩＤコードと建物側のＩＤコードのいずれかとが一致しているか否かを判断する。つまり、この場合、スマートコントローラ２２５は、ＩＤコード照合を実行する。そして、スマートコントローラ２２５は、前記ＩＤコード照合により両ＩＤコードが一致したことを条件として、該一致したＩＤコードを含むドアアンロック許可信号を入退室管理装置２０３に出力する。つまり、この場合、スマートコントローラ２２５は、ドアアンロック許可制御を実行する。
【０１２１】
ドアアンロック制御装置３２０は、送信回路２１、送信アンテナ２２、受信アンテナ２３、受信回路２４、スマートコントローラ２５の各々とそれぞれ同様の送信回路３２１、送信アンテナ３２２、受信アンテナ３２３、受信回路３２４、スマートコントローラ３２５を備えている。送信アンテナ３２２は、通路を区画形成する前記一側壁において、シャッター２０２の他側に配設されている。
【０１２２】
そして、送信アンテナ３２２から送信されるリクエスト信号は、該一側壁から他側壁に向かって、該一側壁から２．０ｍ〜２．５ｍまでの範囲内に及ぶように、送信アンテナ３２２の指向性やリクエスト信号の出力が設定されている。その結果、本実施形態では、前記第１領域Ｄ１とは互いに干渉するように配慮された上で、図７に２点鎖線で示す第２領域Ｄ２の範囲内にリクエスト信号が送信されることとする。
【０１２３】
ただし、送信アンテナ３２２からのリクエスト信号の送信領域（第２領域Ｄ２）と前記送信アンテナ２２２からのリクエスト信号の送信領域（第１領域Ｄ１）とは互いに干渉しているものの、両リクエスト信号同士が互いに干渉しないように、両リクエスト信号の各々が所定の時間差をもって交互に送信されるように配慮されていることとする。尚、前記第２領域Ｄ２は、該一側壁から他側壁に至るように配慮されていることとする。ちなみに、このように送信アンテナ３２２から送信されるリクエスト信号は、シャッター２０２の周辺であって該シャッター２０２の他側に主に形成されるとともに同シャッター２０２の一側にも僅かに及ぶように形成される前記第２領域Ｄ２内において、携帯機１０とドアアンロック制御装置３２０との双方向通信を確立させるためのものである。
【０１２４】
受信回路３２４は、携帯機１０から送信されてくる信号、つまり携帯機１０のＩＤコードを含む信号、換言すればリクエスト信号の応答信号を受信アンテナ３２３を介して受信するためのものである。尚、受信アンテナ３２３と前記送信アンテナ３２２とにより通路第２アンテナユニットが構成されている。そして、受信回路３２４は、携帯機１０からの前記ＩＤコードを含む信号を受信すると、その信号を復調して受信信号を生成し、その受信信号をスマートコントローラ３２５に出力する。
【０１２５】
スマートコントローラ３２５は、図示しないＣＰＵ、ＲＯＭ、ＲＡＭ等からなるＣＰＵユニットであり、メモリ３２５ａを備えている。このメモリ３２５ａには、対応する携帯機１０のＩＤコードと同一のＩＤコード（建物側のＩＤコード）であって、互いに異なる複数のＩＤコードが記憶されている。
【０１２６】
そして、スマートコントローラ３２５は、前記第２領域Ｄ２内にリクエスト信号を送信したことに基づいて、受信回路３２４から携帯機１０のＩＤコードを含む受信信号が入力されると、携帯機１０のＩＤコードと建物側のＩＤコードのいずれかとが一致しているか否かを判断する。つまり、この場合、スマートコントローラ３２５は、ＩＤコード照合を実行する。そして、スマートコントローラ３２５は、前記ＩＤコード照合により両ＩＤコードが一致したことを条件として、該一致したＩＤコードを含むドアアンロック許可信号を入退室管理装置２０３に出力する。つまり、この場合、スマートコントローラ３２５は、ドアアンロック許可制御を実行する。
【０１２７】
入退室管理装置２０３には、前記スマートコントローラ２２５，３２５に加えて、人検出センサ２０７が電気的に接続されている。人検出センサ２０７は、ビームセンサにより構成されている。人検出センサ２０７は、発光部２０７ａと受光部２０７ｂとにより構成されている。発光部２０７ａは、通路を区画形成する前記一側壁において、前記通路第１アンテナユニット（２２２，２２３）と前記通路第２アンテナユニット（３２２，３２３）との中間位置に配設されている。受光部２０７ｂは、前記通路を区画形成する他側壁において、前記発光部２０７ａと対向する位置に配設されている。人検出センサ２０７は、前記第１領域Ｄ１と前記第２領域Ｄ２との干渉領域Ｄ３を人が通過した旨を検出するためのものである。そして、入退室管理装置２０３は、発光部２０７ａから照射されたビームが、受光部２０７ｂに達することなく、干渉領域Ｄ３を通過する人により遮られた場合に、該受光部２０７ｂから入力される検出信号に基づいて、前記干渉領域Ｄ３を人が通過した旨を検出する。
【０１２８】
入退室管理装置２０３は、図示しないＣＰＵ、ＲＯＭ、ＲＡＭ等からなるＣＰＵユニットである。尚、入退室管理装置２０３のＲＡＭは、前記スマートコントローラ２２５からのドアアンロック許可信号に含まれているＩＤコードを記憶するための記憶領域αと、前記スマートコントローラ３２５からのドアアンロック許可信号に含まれているＩＤコードを記憶するための記憶領域βとを有している。
【０１２９】
そして、入退室管理装置２０３は、前記スマートコントローラ２２５又は前記スマートコントローラ３２５からドアアンロック許可信号が入力されると、図示しない解錠用アクチュエータを制御することによりシャッター２０２をアンロックさせる。続いて、同入退室管理装置２０３は、図示しないドア駆動用アクチュエータを制御することによりシャッター２０２を開方向に自動的に上昇させる。そして、このようにシャッター２０２が開方向に自動的に上昇される結果、携帯機１０の所有者による前記第１領域Ｄ１及び前記第２領域Ｄ２の一方から他方への通過（入退室）がハンズフリーにて可能となる。
【０１３０】
また、入退室管理装置２０３は、シャッター２０２を介して行われる人の入退室の状況を特定し、該入退室状況を示すデータを生成して表示装置４に出力する。表示装置４は、入退室管理装置２０３から入力されたデータに基づいて、入退室状況を表示するためのものである。この表示装置４は、シャッター２０２から離れた部屋に設置されている。
【０１３１】
次に、入退室管理装置２０３により入退室を特定する場合の動作について、図８〜図１０に示すフローチャートを用いて図６及び図７も参照しながら説明する。
（携帯機１０の所有者による入室を特定する場合の動作）
さて、本実施形態では、スマート機能を有効にするために、通常は、送信アンテナ２２２から第１領域Ｄ１内にリクエスト信号が送信されるとともに送信アンテナ３２２から第２領域Ｄ２内にリクエスト信号が送信される。
【０１３２】
そして、対応する携帯機１０を所持しているユーザ（携帯機１０の所有者であり、本実施形態ではＡさん）が、一方向からシャッター２０２に近付いてきて第１領域Ｄ１内に進入してくると、同第１領域Ｄ１内において、携帯機１０とドアアンロック制御装置２２０との双方向通信が可能となる（第１３の要素）。そして、このようにユーザにより対応する携帯機１０が所持されている場合には、両ＩＤコードが一致することから、スマートコントローラ２２５から入退室管理装置２０３にドアアンロック許可信号（該一致したＩＤコードを含む）が出力される。
【０１３３】
すると、入退室管理装置２０３は、このようにスマートコントローラ２２５からドアアンロック許可信号が入力されたことに基づいて、第１領域Ｄ１内での双方向通信により両ＩＤコードが一致したものと判断し（Ｓ１０でＹＥＳ）、図９に示すＳ１１に移行する。Ｓ１１では、入退室管理装置２０３は、該一致したＩＤコードをＲＡＭの記憶領域αに記憶するとともに、解錠用アクチュエータを制御してシャッター２０２をアンロックさせる。続いて、入退室管理装置２０３は、ドア駆動用アクチュエータを制御してシャッター２０２を開方向に自動的に上昇させる。その結果、ユーザによる入室が可能となる。
【０１３４】
そして、入退室管理装置２０３は、スマートコントローラ２２５からドアアンロック許可信号が入力されてから所定時間（本実施形態ではＴ１）が経過するまでの期間内に（Ｓ１２でＮＯ）、干渉領域Ｄ３内を人が通過した旨の検出信号が人検出センサ２０７から入力されると（Ｓ１３でＹＥＳ）、Ｓ１４に移行する。そして、入退室管理装置２０３は、人検出センサ２０７から該検出信号が入力されてから所定時間（本実施形態ではＴ２）が経過するまでの期間内に（Ｓ１４でＮＯ）、第２領域Ｄ２内のみでの双方向通信により両ＩＤコードが一致したものと判断すると（Ｓ１５でＹＥＳ）、Ｓ１６に移行する。尚、入退室管理装置２０３は、スマートコントローラ２２５から入力されていたドアアンロック許可信号が入力されなくなり、且つスマートコントローラ３２５からドアアンロック許可信号が入力されると、第２領域Ｄ２内のみでの双方向通信により両ＩＤコードが一致したものと判断する（Ｓ１５でＹＥＳ）。
【０１３５】
Ｓ１６では、入退室管理装置２０３は、スマートコントローラ３２５からのドアアンロック許可信号に含まれているＩＤコードが、前記Ｓ１１において記憶領域αに記憶したＩＤコードと同一であるか否かを判断する。そして、入退室管理装置２０３は、前記Ｓ１６において肯定判断した場合には、ユーザ（この場合、Ａさん）が入室してきた旨を特定して、その旨を表示装置４に表示させる（Ｓ１７）。その結果、表示装置４により入退室状況として「Ａさんが入室してきました」の文字が表示される。
【０１３６】
そして、入退室管理装置２０３は、このように入退室状況を特定した後、記憶領域αに記憶していたＩＤコードを消去する（Ｓ１８）。
ここで、上記のように両ＩＤコードが一致したことを条件としてシャッター２０２のアンロックが許可されることから、該シャッター２０２のアンロックが許可された段階において、入退室管理装置２０３により携帯機１０の所有者（ユーザ）を特定することが可能となる（第１４の要素）。一方、上記のようにユーザが入室してくるのに伴って、同ユーザが第１領域Ｄ１と第２領域Ｄ２との干渉領域Ｄ３を通過すると、人検出センサ２０７により該干渉領域Ｄ３を人が通過した旨が検出される（第１５の要素）。他方、上記のようにユーザが入室した後、同ユーザがシャッター２０２から遠ざかる方向に移動するのに伴って、やがてユーザが第１領域Ｄ１を越えた第２領域Ｄ２内に進入してくると、同第２領域Ｄ２内のみにおいて、携帯機１０とドアアンロック制御装置３２０との双方向通信が可能となる（第１６の要素）。従って、これら４つの要素に基づいて、つまり携帯機１０のＩＤコードと、第１領域Ｄ１内及び第２領域Ｄ２内での両ＩＤコードの一致段階並びに人検出センサ２０７による人通過の検出段階の順序とに基づいて、入退室管理装置２０３により携帯機１０の所有者（ユーザ）が入室してきた旨が特定される。
【０１３７】
（携帯機１０の所有者による退室を特定する場合の動作）
さて、対応する携帯機１０を所持しているユーザ（携帯機１０の所有者であり、本実施形態ではＡさん）が、上記した入室時とは逆の方向からシャッター２０２に近付いてきて第２領域Ｄ２内に進入してくると、同第２領域Ｄ２内において、携帯機１０とドアアンロック制御装置３２０との双方向通信が可能となる（第１７の要素）。そして、このようにユーザにより対応する携帯機１０が所持されている場合には、両ＩＤコードが一致することから、スマートコントローラ３２５から入退室管理装置２０３にドアアンロック許可信号（該一致したＩＤコードを含む）が出力される。
【０１３８】
すると、入退室管理装置２０３は、このようにスマートコントローラ３２５からドアアンロック許可信号が入力されたことに基づいて、第２領域Ｄ２内での双方向通信により両ＩＤコードが一致したものと判断し（Ｓ２０でＹＥＳ）、図１０に示すＳ２１に移行する。Ｓ２１では、入退室管理装置２０３は、該一致したＩＤコードをＲＡＭの記憶領域βに記憶するとともに、解錠用アクチュエータを制御してシャッター２０２をアンロックさせる。続いて、入退室管理装置２０３は、ドア駆動用アクチュエータを制御してシャッター２０２を開方向に自動的に上昇させる。その結果、ユーザによる退室が可能となる。
【０１３９】
そして、入退室管理装置２０３は、スマートコントローラ３２５からドアアンロック許可信号が入力されてから所定時間（本実施形態ではＴ３）が経過するまでの期間内に（Ｓ２２でＮＯ）、干渉領域Ｄ３内を人が通過した旨の検出信号が人検出センサ２０７から入力されると（Ｓ２３でＹＥＳ）、Ｓ２４に移行する。そして、入退室管理装置２０３は、人検出センサ２０７から該検出信号が入力されてから所定時間（本実施形態ではＴ４）が経過するまでの期間内に（Ｓ２４でＮＯ）、第１領域Ｄ１内のみでの双方向通信により両ＩＤコードが一致したものと判断すると（Ｓ２５でＹＥＳ）、Ｓ２６に移行する。尚、入退室管理装置２０３は、スマートコントローラ３２５から入力されていたドアアンロック許可信号が入力されなくなり、且つスマートコントローラ２２５からドアアンロック許可信号が入力されると、第１領域Ｄ１内のみでの双方向通信により両ＩＤコードが一致したものと判断する（Ｓ２５でＹＥＳ）。
【０１４０】
Ｓ２６では、入退室管理装置２０３は、スマートコントローラ２２５からのドアアンロック許可信号に含まれているＩＤコードが、前記Ｓ２１において記憶領域βに記憶したＩＤコードと同一であるか否かを判断する。そして、入退室管理装置２０３は、前記Ｓ２６において肯定判断した場合には、ユーザ（この場合、Ａさん）が退室していった旨を特定して、その旨を表示装置４に表示させる（Ｓ２７）。その結果、表示装置４により入退室状況として「Ａさんが退室してゆきました」の文字が表示される。
【０１４１】
そして、入退室管理装置２０３は、このように入退室状況を特定した後、記憶領域βに記憶していたＩＤコードを消去する（Ｓ２８）。
ここで、上記のように両ＩＤコードが一致したことを条件としてシャッター２０２のアンロックが許可されることから、該シャッター２０２のアンロックが許可された段階において、入退室管理装置２０３により携帯機１０の所有者（ユーザ）を特定することが可能となる（第１８の要素）。一方、上記のようにユーザが退室してゆくのに伴って、同ユーザが第１領域Ｄ１と第２領域Ｄ２との干渉領域Ｄ３を通過すると、人検出センサ２０７により該干渉領域Ｄ３を人が通過した旨が検出される（第１９の要素）。他方、上記のようにユーザが退室した後、同ユーザがシャッター２０２から遠ざかる方向に移動するのに伴って、やがてユーザが第２領域Ｄ２を越えた第１領域Ｄ１内に進入してくると、同第１領域Ｄ１内のみにおいて、携帯機１０とドアアンロック制御装置２２０との双方向通信が可能となる（第２０の要素）。従って、これら４つの要素に基づいて、つまり携帯機１０のＩＤコードと、第１領域Ｄ１内及び第２領域Ｄ２内での両ＩＤコードの一致段階並びに人検出センサ２０７による人通過の検出段階の順序とに基づいて、入退室管理装置２０３により携帯機１０の所有者（ユーザ）が退室していった旨が特定される。
【０１４２】
（第三者による入室（退室）を特定する場合の動作）
さて、携帯機１０の所有者以外の第三者が、一方向（他方向）からシャッター２０２に近付いてきて第１領域Ｄ１（第２領域Ｄ２）内に進入してきても、該第三者は携帯機１０を所持していないことから、ドアアンロック制御装置２２０（ドアアンロック制御装置３２０）との双方向通信は不可能である。その結果、スマートコントローラ２２５（スマートコントローラ３２５）から入退室管理装置２０３にドアアンロック許可信号が出力されないため、シャッター２０２がロックされたまま維持される。
【０１４３】
そして、このようにシャッター２０２がロックされている状態で、かかる第三者が何らかの手段により入室してくる（退室してゆく）と、該入室（退室）に伴って、人検出センサ２０７から入退室管理装置２０３に干渉領域Ｄ３内を人が通過した旨の検出信号が出力される。
【０１４４】
すると、入退室管理装置２０３は、このようにスマートコントローラ２２５及びスマートコントローラ３２５のいずれからもドアアンロック許可信号が入力されていないにも拘わらず（Ｓ１０及びＳ２０でいずれもＮＯ）、人検出センサ２０７から検出信号が入力されると（Ｓ３０でＹＥＳ）、Ｓ３１に移行する。Ｓ３１では、入退室管理装置２０３は、第三者が干渉領域Ｄ３を通過した旨を特定して、その旨を表示装置４に表示させる。その結果、表示装置４により入退室状況として「第三者が通過しました」の文字が表示される。
【０１４５】
以上、詳述したように本実施形態によれば、次のような作用、効果を得ることができる。
（１１）入退室を管理するのに際して、携帯機１０のＩＤコードと、第１領域Ｄ１内及び第２領域Ｄ２内での両ＩＤコードの一致段階並びに人検出センサ２０７による人通過の検出段階の順序とに基づいて、入退室管理装置２０３により携帯機１０の所有者による入退室が特定される。ここで、ユーザは、対応する携帯機１０を所持しているだけでハンズフリーにて入退室が許可される。このため、ユーザに対して煩雑感や圧迫感を与える余地はなく簡便である。しかも、従来のメカニカルキーと比較して複製が格段に困難な携帯機１０を所持していなければ入退室が許可されない。このため、第三者により入退室される可能性は極めて低いものとなる。従って、ユーザによる手動操作を一切必要とすることがなく、しかも高いセキュリティレベルを維持することができる。
【０１４６】
（１２）入退室管理システム２０１では、携帯機１０のＩＤコードと建物側のＩＤコードとが一致したことを条件として、シャッター２０２のアンロックが許可される。つまり、本来、対応する携帯機１０を所持していなければ入退室が許可されない。換言すれば、スマートコントローラ２２５又はスマートコントローラ３２５によりシャッター２０２のアンロックが許可されていないにも拘わらず、人検出センサ２０７により干渉領域Ｄ３を人が通過した旨が検出された場合には、該人の通過が携帯機１０の所有者以外の第三者によるものである可能性が高い。そして、入退室管理システム２０１によれば、かかる場合を想定した構成を採用することにより、該第三者による入退室を早期段階で検出することが可能となる。従って、セキュリティレベルを向上させることができる。
【０１４７】
（１３）入退室管理装置２０３により特定された入退室状況が、シャッター２０２から離れた部屋に設置された表示装置４により表示される。従って、かかる表示による報知に基づいて、入退室状況を的確に認識させることができる。
【０１４８】
（１４）メモリ２２５ａ，３２５ａには、互いに異なる複数のＩＤコードが記憶されている。従って、入退室許可の対象となるユーザを複数人に設定することができる。また、入退室管理の対象となるユーザを複数人に設定することができる。
【０１４９】
（１５）入退室を管理するのに際して、比較的消費電力の少ない（暗電流の小さい）ビームセンサにより構成された人検出センサ２０７を用いていることから、省電力にて入退室管理を実現することができる。
【０１５０】
（１６）人検出センサ２０７により「人」を直接検出していることから、「人」を確実に検出することができる。
（１７）人検出センサ２０７を設け、しかも記憶領域α，βにＩＤコードを記憶しておくことで、第１領域Ｄ１と第２領域Ｄ２とが互いに干渉していても、第１領域Ｄ１及び第２領域Ｄ２の一方から他方へ人が通過した方向を特定することができる。そして、かかる特定により入退室管理を実現することができる。
【０１５１】
尚、前記第３実施形態は、次のように変更して具体化することも可能である。
・第１領域Ｄ１内又は第２領域Ｄ２内での双方向通信により両ＩＤコードが一致すると、シャッター２０２が開方向に自動的に上昇される構成に代えて、ユーザが手動でシャッター２０２を上昇させることで入退室が可能となる構成としてもよい。つまり、前記第３実施形態のような自動シャッターに限定される訳ではない。
【０１５２】
・人検出センサ２０７として、ビームセンサ以外のセンサを用いても良いことは言うまでもない。
・携帯機１０に電池切れが生じた場合には、第１領域Ｄ１又は第２領域Ｄ２よりも極めて狭い領域内において、携帯機１０とドアアンロック制御装置２２０又はドアアンロック制御装置３２０との双方向通信を確立させるための構成を採用してもよい。
【０１５３】
・スマートキーシステム２０５とスマートキーシステム２０６とを統合して、単一のスマートコントローラにより合計４つのアンテナを介して双方向通信を行い得る構成としてもよい。
【０１５４】
・図９に示すＳ１２において肯定判断した場合又は図１０に示すＳ２２において肯定判断した場合には、ユーザがシャッター２０２に近付いた旨を特定して、その旨を表示装置４に表示させる構成としてもよい。
【０１５５】
・図９に示すＳ１４において肯定判断した場合又は図１０に示すＳ２４において肯定判断した場合には、ユーザがシャッター２０２を通過した旨を特定して、その旨を表示装置４に表示させる構成としてもよい。
【０１５６】
尚、前記第１実施形態〜前記第３実施形態に共通して、前記各実施形態は、次のように変更して具体化することも可能である。
・ＣＣＤカメラ等の撮像手段により入退室状況を示す画像を撮像し、該撮像した画像を、入退室状況を示す文字に代えて又は加えて表示装置４により表示する構成としてもよい。
【０１５７】
・表示による報知に代えて又は加えて、音による報知を行う構成としてもよい。
・入退室状況として入退室の日時をも併せて報知する構成としてもよい。
・マイク等の集音手段により入退室状況を示す音を拾い、該拾った音を表示用データに変換して表示装置４により表示する構成、又は該拾った音をスピーカ等の鳴動手段により鳴動させる構成としてもよい。
【０１５８】
さらに、上記各実施形態より把握される技術的思想について、以下にそれらの効果と共に記載する。
〔１〕請求項１〜請求項５のいずれか１項に記載の入退室管理システムにおいて、前記特定手段により特定された入退室状況を報知する報知手段を設けたことを特徴とする入退室管理システム。このように構成すれば、報知手段による報知に基づいて、入退室状況を的確に認識させることができる。
【０１５９】
〔２〕請求項１〜請求項５、上記〔１〕のいずれか１項に記載の入退室管理システムにおいて、前記作動制御装置は、互いに異なる複数のＩＤコードを記憶するものであることを特徴とする入退室管理システム。このように構成すれば、入退室許可の対象となるユーザを複数人に設定することができる。また、入退室管理の対象となるユーザを複数人に設定することができる。
【図面の簡単な説明】
【０１６０】
【図１】第１実施形態の入退室管理システムの構成を示すブロック図。
【図２】第１領域、屋外領域、屋内領域を示す図。
【図３】屋外領域を示す図。
【図４】第２実施形態の入退室管理システムの構成を示すブロック図。
【図５】第１領域、第２領域を示す図。
【図６】第３実施形態の入退室管理システムの構成を示すブロック図。
【図７】第１領域、第２領域、干渉領域を示す図。
【図８】入退室を特定する場合の動作を示すフローチャート。
【図９】入退室を特定する場合の動作を示すフローチャート。
【図１０】入退室を特定する場合の動作を示すフローチャート。
【符号の説明】
【０１６１】
１…入退室管理システム、２…開閉体（制御対象）としての引き戸、３…特定手段としての入退室管理装置、４…報知手段としての表示装置、５…電子キーシステムとしてのスマートキーシステム、６…第１人検出手段としての屋外人検出センサ、７…第２人検出手段としての屋内人検出センサ、１０…携帯機、２０…作動制御装置としてのドアアンロック制御装置、２５…制御手段としてのスマートコントローラ、Ａ１…第１領域、Ｂ１…屋外領域、Ｃ１…屋内領域。
【０１６２】
４…報知手段としての表示装置、５…電子キーシステムを構成するスマートキーシステム、１０…携帯機、２０…作動制御装置を構成するドアアンロック制御装置、２５…制御手段を構成するスマートコントローラ、１０１…入退室管理システム、１０２…開閉体（制御対象）としての開き戸、１０３…特定手段としての入退室管理装置、１０６…電子キーシステムを構成するスマートキーシステム、１２０…作動制御装置を構成するスマート通信制御装置、１２５…制御手段を構成するスマートコントローラ、Ａ１…第１領域、Ａ２…第２領域。
【０１６３】
４…報知手段としての表示装置、１０…携帯機、２０１…入退室管理システム、２０２…開閉体（制御対象）としてのシャッター、２０３…特定手段としての入退室管理装置、２０５…電子キーシステムを構成するスマートキーシステム、２０６…電子キーシステムを構成するスマートキーシステム、２０７…人検出手段としての人検出センサ、２２０…作動制御装置を構成するドアアンロック制御装置、２２５…制御手段を構成するスマートコントローラ、３２０…作動制御装置を構成するドアアンロック制御装置、３２５…制御手段を構成するスマートコントローラ、Ｄ１…第１領域、Ｄ２…第２領域、Ｄ３…干渉領域。
【図１】
2005207034.tif 000003
【図２】
2005207034.tif 000004
【図３】
2005207034.tif 000005
【図４】
2005207034.tif 000006
【図５】
2005207034.tif 000007
【図６】
2005207034.tif 000008
【図７】
2005207034.tif 000009
【図８】
2005207034.tif 000010
【図９】
2005207034.tif 000011
【図１０】
2005207034.tif 000012